(57)【要約】【課題】特定の領域のみを拡大する場合であっても、全ての原稿情報をコピーすることができる画像形成装置、画像形成方法及びコンピュータプログラムの提供。【解決手段】原稿画像の読み取りを行い（Ｓ１１）、変倍する領域の指定（Ｓ１２）、指定された領域内の画像に対する変倍率の設定（Ｓ１３）、用紙サイズの設定（Ｓ１４）を受付ける。そして、指定画像領域に隣接する指定外画像領域を抽出し（Ｓ１５）、各指定外画像領域内の画像に対する変倍率を、変倍後の各領域の画像が連続するように、しかも設定した用紙サイズに収まるように変倍率を算出する（Ｓ１６）。設定された変倍率及び算出した変倍率で各領域の画像を変倍し（Ｓ１７，Ｓ１８）、変倍された画像同士を合成して（Ｓ１９）、画像形成を行う（Ｓ２０）。【選択図】図４
2009206637.tif 000002
【特許請求の範囲】
【請求項１】
原稿から画像を読み取り、読み取った画像に基づいてシート上に画像を形成する画像形成装置において、
前記読み取った画像から変倍すべき領域の指定を受付ける手段と、該手段により指定された領域内の画像に対する変倍率の設定を受付ける手段と、該手段により設定された変倍率にて前記指定された領域内の画像を変倍する手段と、画像を形成するシートのサイズを設定する手段と、前記指定された領域に隣接する領域内の画像を、設定したシートのサイズに応じて変倍する手段と、変倍した画像同士を合成する手段とを備え、合成して得られた画像をシート上に形成するようにしてあることを特徴とする画像形成装置。
【請求項２】
変倍後の画像が前記指定された領域内の画像を変倍して得られる画像と連続するように、しかも設定したシートのサイズに収まるように、前記隣接する領域内の画像に対する変倍率を算出する手段を備え、算出した変倍率にて前記画像を変倍するようにしてあることを特徴とする請求項１に記載の画像形成装置。
【請求項３】
変倍すべく指定する領域を長方形としてあり、該長方形の各辺の延長線と前記読み取った画像における画像領域の境界線とにより区切られる１又は複数の領域内の画像を、前記算出した変倍率にて変倍するようにしてあることを特徴とする請求項２に記載の画像形成装置。
【請求項４】
前記指定された領域に隣接する領域のうち、左右に隣接する領域については各領域の左右方向の長さの比を変倍の前後で維持し、上下に隣接する領域については各領域の上下方向の長さの比を変倍の前後で維持するようにしてあることを特徴とする請求項１から請求項３の何れか１つに記載の画像形成装置。
【請求項５】
原稿から読み取った画像に基づいてシート上に画像を形成する画像形成方法において、
前記読み取った画像から変倍すべき領域の指定を受付け、指定された領域内の画像に対する変倍率の設定を受付け、設定された変倍率にて前記指定された領域内の画像を変倍し、画像を形成するシートのサイズを設定し、前記指定された領域に隣接する領域内の画像を、設定したシートのサイズに応じて変倍し、変倍した画像同士を合成し、合成して得られた画像をシート上に形成することを特徴とする画像形成方法。
【請求項６】
コンピュータに、入力された画像に基づいてシート上に形成する画像を生成させるコンピュータプログラムにおいて、
コンピュータに、前記入力された画像に対して指定された領域内の画像を、設定された変倍率で変倍させるステップと、コンピュータに、前記領域に隣接する領域内の画像を、画像が形成されるシートのサイズに応じて変倍させるステップと、コンピュータに、変倍させた画像同士を合成させるステップとを有することを特徴とするコンピュータプログラム。
【発明の詳細な説明】
【技術分野】
【０００１】
本発明は、原稿画像を部分的に拡大して出力する画像形成装置、画像形成方法、及び該画像形成方法を実現するためのコンピュータプログラムに関する。
【背景技術】
【０００２】
従来、画像形成装置を用いて原稿画像の拡大を行う際に、原稿をスキャナ（画像読取部）にセットした後、拡大倍率を設定することによって、容易に拡大コピーできるようになっている。その際、原稿画像の全情報をコピーとして記録したい場合には、原稿より大きなサイズのコピー用紙が使用されるが、原稿画像の一部領域だけを拡大コピーしたい場合でも、原稿画像の全てを拡大する必要があり、コピー用紙のサイズが他のコピー用紙より大きくなり、ファイリングする際の作業に手間取るなどといった問題があった。
【０００３】
この問題を改善する従来技術として、原稿画像において拡大したい画像領域をマーカで指定し、その画像領域だけを抽出して拡大コピーする画像形成装置が開示されている（例えば、特許文献１を参照）。この方法により、コピー用紙のサイズを原稿より大きくすることなしに、必要な画像領域を拡大することができる。
【特許文献１】特開２００４−２２１８９８号公報
【発明の開示】
【発明が解決しようとする課題】
【０００４】
しかしながら、上記の従来技術では、マーカで指定されない画像領域はコピーされないため、マーカで指定されない画像領域の情報が消失してしまうといった問題点を有していた。
【０００５】
本発明は斯かる事情に鑑みてなされたものであり、読み取った画像から特定の領域のみを拡大する場合であっても、用紙サイズを必要以上に大きくすることなく、全ての原稿情報をコピーすることができる画像形成装置、画像形成方法、及び該画像形成方法を実現するためのコンピュータプログラムを提供することを目的とする。
【課題を解決するための手段】
【０００６】
本発明に係る画像形成装置は、原稿から画像を読み取り、読み取った画像に基づいてシート上に画像を形成する画像形成装置において、前記読み取った画像から変倍すべき領域の指定を受付ける手段と、該手段により指定された領域内の画像に対する変倍率の設定を受付ける手段と、該手段により設定された変倍率にて前記指定された領域内の画像を変倍する手段と、画像を形成するシートのサイズを設定する手段と、前記指定された領域に隣接する領域内の画像を、設定したシートのサイズに応じて変倍する手段と、変倍した画像同士を合成する手段とを備え、合成して得られた画像をシート上に形成するようにしてあることを特徴とする。
【０００７】
本発明にあっては、拡大又は縮小したい指定領域を拡大コピー又は縮小コピーするとともに、その領域に隣接する領域もまたコピー用紙のサイズに合わせて変倍するため、コピー用紙のサイズを必要以上に大きくすることなく、全ての原稿情報をコピーすることができる。
【０００８】
本発明に係る画像形成装置は、変倍後の画像が前記指定された領域内の画像を変倍して得られる画像と連続するように、しかも設定したシートのサイズに収まるように、前記隣接する領域内の画像に対する変倍率を算出する手段を備え、算出した変倍率にて前記画像を変倍するようにしてあることを特徴とする。
【０００９】
本発明にあっては、原稿画像上の全ての線がコピー画像において途切れることなく、また原稿画像上の全ての点において上下左右の関係が維持されるので、文の途中で段差が生じることを防止できる。
【００１０】
本発明に係る画像形成装置は、変倍すべく指定する領域を長方形としてあり、該長方形の各辺の延長線と前記読み取った画像における画像領域の境界線とにより区切られる１又は複数の領域内の画像を、前記算出した変倍率にて変倍するようにしてあることを特徴とする。
【００１１】
本発明にあっては、指定された領域を中心として原稿画像が格子状に区切られる。また、本発明では、区切られた各領域内の画像を変倍した場合であっても、領域間の画像の連続性が保持される。
【００１２】
本発明に係る画像形成装置は、前記指定された領域に隣接する領域のうち、左右に隣接する領域については各領域の左右方向の長さの比を変倍の前後で維持し、上下に隣接する領域については各領域の上下方向の長さの比を変倍の前後で維持するようにしてあることを特徴とする。
【００１３】
本発明にあっては、指定された領域に隣接する領域が、縦方向または横方向に均等に縮小（変倍縮小）されるので、原稿情報の一部のみが、極端に縮小されて見えづらくなることを防止する。
【００１４】
本発明に係る画像形成方法は、原稿から読み取った画像に基づいてシート上に画像を形成する画像形成方法において、前記読み取った画像から変倍すべき領域の指定を受付け、指定された領域内の画像に対する変倍率の設定を受付け、設定された変倍率にて前記指定された領域内の画像を変倍し、画像を形成するシートのサイズを設定し、前記指定された領域に隣接する領域内の画像を、設定したシートのサイズに応じて変倍し、変倍した画像同士を合成し、合成して得られた画像をシート上に形成することを特徴とする。
【００１５】
本発明にあっては、一部の画像領域を拡大する場合に、コピー用紙のサイズを原稿より大きくすることなく、全ての原稿情報をコピーすることができる。
【００１６】
本発明に係るコンピュータプログラムは、コンピュータに、入力された画像に基づいてシート上に形成する画像を生成させるコンピュータプログラムにおいて、コンピュータに、前記入力された画像に対して指定された領域内の画像を、設定された変倍率で変倍させるステップと、コンピュータに、前記領域に隣接する領域内の画像を、画像が形成されるシートのサイズに応じて変倍させるステップと、コンピュータに、変倍させた画像同士を合成させるステップとを有することを特徴とする。
【００１７】
本発明にあっては、一部の画像領域を拡大する場合に、コピー用紙のサイズを原稿より大きくすることなく、全ての原稿情報をコピーさせることができる。
【発明の効果】
【００１８】
本発明による場合は、拡大又は縮小したい指定領域を拡大コピー又は縮小コピーするとともに、その領域に隣接する領域もまたコピー用紙のサイズに合わせて変倍するため、コピー用紙のサイズを必要以上に大きくすることなく、全ての原稿情報をコピーすることができる。
また、原稿画像上の全ての線が、コピー画像において途切れることなく、また原稿画像上の全ての点において上下左右の関係が維持されるので、文の途中で段差が生じることを防止できる。
【発明を実施するための最良の形態】
【００１９】
以下、本発明をその実施の形態を示す図面に基づいて具体的に説明する。
図１は本実施の形態に係る画像形成装置の構成を示すブロック図である。本実施の形態に係る画像形成装置は、制御部１００、バス１０１、入力部１０２、表示部１０３、画像読取部１０４、プログラムメモリ１０５、バッファメモリ１０６、画像処理部１０７、画像形成部１０８、及び記憶媒体読取部１０９を備える。
【００２０】
制御部１００は、例えば、ＣＰＵから構成され、プログラムメモリ１０５から制御プログラムを読み出し、アドレスデータ、制御データ、画像データなどの各種データを転送するバス１０１を介し、制御プログラムにより各部を制御することにより本発明の画像形成装置を実現する。
【００２１】
入力部１０２は、例えば、ボタンスイッチ、液晶ディスプレイ上に形成したタッチパネルなどで構成され、通常コピーの指示とともに、部分的に拡大する画像領域の指定、コピー用紙の選択、変倍率の設定などを行えるようにしている。すなわち、入力部１０２は、読み取った画像から変倍すべき領域の指定を受付ける手段、画像を形成するシートのサイズを設定する手段、指定された領域内の画像に対する変倍率の設定を受付ける手段として機能する。
【００２２】
表示部１０３は、例えば、ＣＲＴ（陰極線管）ディスプレイ、ＬＣＤ（液晶ディスプレイ）、ＰＤ（プラズマディスプレイ）などで構成され、入力部１０２から入力された画像形成指示、原稿画像データ、部分的に拡大する画像領域、拡大倍率、コピー用紙サイズなどが表示される。
【００２３】
部分的に拡大する画像領域の指定方法については、例えば、液晶ディスプレイ（表示部１０３）に表示される原稿画像データを見ながら、液晶ディスプレイ上に形成したタッチパネル（入力部１０２）で長方形の画像領域を選択することにより行える。なお、部分的に拡大する画像領域の指定方法としては特に制限はなく、原稿画像に拡大したい画像領域をマーカで記入し、例えば特開２００４−２２１８９８号公報に開示されているような方法により、部分的に拡大する画像領域の指定を行うことも可能である。以下では、指定された画像領域を指定画像領域、それ以外の画像領域を指定外画像領域という。
【００２４】
画像読取部１０４は、画像読取プログラム、ＣＣＤからなるスキャナ部、原稿台などで構成され、原稿台にセットされた原稿から画像をデジタルデータとして読み取る。読み取った画像データはバッファメモリ１０６に記憶される。
【００２５】
プログラムメモリ１０５は、例えば、ＲＯＭ、ＥＥＰＲＯＭ、ハードディスク、ＭＯなどで構成され、制御部１００が各部を制御するためのメインルーチン制御プログラム、画像を形成するための画像形成プログラム、画像読取部１０４により読み取られた原稿画像をアドレスに対応させてバッファメモリ１０６に記憶するための記憶制御プログラムや、バス１０１を制御するためのバス制御プログラムなどが記憶されている。
【００２６】
バッファメモリ１０６は、例えば、ＲＡＭ、ＥＥＰＲＯＭ、フレキシブルディスク、ハードディスク、ＭＯなどで構成され、制御部１００によって制御される制御中のデータ、入力された指示情報、画像形成条件等を記憶する。また、バッファメモリ１０６は、読み取られた原稿画像を一時記憶する画像記憶手段として機能する。
【００２７】
画像処理部１０７は、例えば、画像処理プログラムで構成され、バッファメモリ１０６から指定画像領域の画像データ、および指定外画像領域の画像データをビットマップ上に読み出し、指定画像領域の画像データを入力部１０２にて設定された変倍率で変倍し、コピー用紙サイズに合わせて、指定外画像領域の画像データの変倍処理を行う。また、画像処理部１０７は、シェーディング補正、領域分離処理、入力階調補正、色補正、黒生成下色除去、空間フィルタ処理、中間調処理などの処理を行う。
【００２８】
画像形成部１０８は、例えば、感光体ドラム、レーザスキャニングユニット、帯電部、現像部、転写チャージャ、画像形成プログラムなどで構成され、コピー用紙に画像を記録する。
【００２９】
記憶媒体読取部１０９は、記憶媒体１１０に記憶された各種データ及びコンピュータプログラムを読み取るための読取装置を備える。記憶媒体１１０は、例えば、マスクＲＯＭ、ＥＰＲＯＭ、ＥＥＰＲＯＭ、フラッシュＲＯＭ等による半導体メモリ、あるいはハードディスク等の磁気ディスクやＣＤ−ＲＯＭ／ＭＯ／ＭＤ／ＤＶＤ等の光ディスクのディスク系、ＩＣカード（メモリカードも含む）／光カード等のカード系等を含めた本体と分離可能なメディアで構成した固定的にプログラムを担持する記憶媒体を示す。
【００３０】
記憶媒体１１０に記憶されるコンピュータプログラムとしては、上述したような画像処理プログラム、メインルーチン制御プログラム、画像形成プログラム、記憶制御プログラム、およびバス制御プログラムの他、本発明に係るコンピュータプログラムが含まれる。記憶媒体読取部１０９にて読み取られたこれらのコンピュータプログラムは、制御部１００が実行する制御プログラムの１つとしてプログラムメモリ１０５に格納される。
【００３１】
図２及び図３は本実施の形態に係る画像形成装置が実行する処理の内容を説明する説明図である。図２（ａ）は原稿を画像読取部１０４にて読み取って得られた原稿画像１０を示している。図２（ａ）に示した原稿画像１０は、例えば、Ａ４サイズの原稿を読み取って得られたものであり、アルファベットの「Ａ」〜「Ｔ」までの文字（画像）が含まれる。
【００３２】
この原稿画像１０に対して部分的に変倍する領域（指定画像領域）が入力部１０２を通じてユーザにより指定される。変倍する領域の指定は、上述したように、表示部１０３に表示される原稿画像を見ながら、表示部１０３上に形成したタッチパネル（入力部１０２）で長方形の画像領域を選択することにより行われる。なお、特開２００４−２２１８９８号公報に開示されているように、原稿に対して指定画像領域を定めるようなマーカを付しておき、このマーカを検出することによって指定画像領域を設定する構成としてもよい。図２（ｂ）に示した例では、「ＧＨＩ」の文字が含まれるように指定画像領域２０が指定された様子を示している。
【００３３】
この指定画像領域２０内の画像に対する変倍率が入力部１０２を通じてユーザによって設定される。指定画像領域２０内の画像についてはユーザによって設定された変倍率で変倍を行うが、本実施の形態に係る画像形成装置は、この指定画像領域２０に隣接する領域（すなわち、指定外画像領域）内の画像についても変倍を行い、用紙サイズを必要以上に大きくすることなく、全ての原稿情報をコピーするようにしている。
【００３４】
具体的には、原稿画像の境界線Ｌ０と指定画像領域２０を構成する各辺の延長線Ｌ１，Ｌ２，Ｌ３，Ｌ４とにより区切られる領域を抽出することによって、１又は複数の指定外画像領域を抽出し、抽出した各指定外画像領域をコピー用紙サイズに応じて変倍する処理を行う。図３（ａ）に示した例では、原稿画像の中央付近に指定された指定画像領域２０に対し、８つの指定外画像領域２１〜２８が抽出されている様子を示している。
【００３５】
なお、図３（ａ）に示した例では、８つの指定外画像領域２１〜２８が抽出されているが、指定画像領域の４辺の一部と原稿画像の境界線とが共通するように領域指定がなされた場合、抽出される指定外画像領域は８つより少なくなる。すなわち、指定画像領域の１辺が原稿画像の境界線と共通する場合、抽出される指定外画像領域は５つとなり、指定画像領域の２辺が原稿画像の境界線と共通する場合、抽出される指定外画像領域は３つとなる。また、指定画像領域の３辺が原稿画像の境界線と共通する場合、抽出される指定外画像領域は１つとなる。
【００３６】
図３（ｂ）は指定画像領域２０を変倍率１５０％で拡大したものを示している。指定画像領域２０の拡大に伴い、これに隣接する８つの指定外画像領域２１〜２８内の画像についても縮小又は拡大されているが、全ての原稿情報を失うことなくコピーされることを示している。指定外画像領域内の画像に対する変倍処理については後に詳述することとする。
【００３７】
図４は本実施の形態に係る画像形成装置が実行する処理の手順を説明するフローチャートである。画像形成装置は、まず、画像読取部１０４にて原稿画像の読み取りを行う（ステップＳ１１）。読み取られた原稿画像はアドレスに対応させてバッファメモリ１０６に記憶される。
【００３８】
次いで、画像形成装置は、変倍する領域の指定、指定された領域（指定画像領域）内の画像に対する変倍率の設定、及び用紙サイズの設定を、入力部１０２を通じて受付ける（ステップＳ１２〜Ｓ１４）。指定された領域の情報、設定された変倍率及び用紙サイズの情報は、バッファメモリ１０６に記憶される。
【００３９】
次いで、画像形成装置は、バッファメモリ１０６に記憶された原稿画像及び指定画像領域の情報に基づいて指定外画像領域の抽出を行い（ステップＳ１５）、設定された変倍率及び用紙サイズを基に、各指定外画像領域内の画像に対する変倍率を算出する（ステップＳ１６）。
【００４０】
指定外画像領域内の画像に対する変倍率の算出方法を具体的に説明する。図５は変倍処理前の各領域のサイズを説明する説明図であり、図６は変倍処理後の各領域のサイズを説明する説明図である。なお、図５、図６において、指定画像領域の拡大倍率をｎ倍とし、コピー用紙のサイズは原稿と同じサイズとした。
【００４１】
原稿画像１０は、縦の長さＰ、横の長さがＱの長方形の画像であり、ユーザにより変倍すべき領域として指定された指定画像領域２０は、長方形に囲まれた中央付近の画像領域である。
【００４２】
指定外画像領域は、原稿の縁により規定される読取領域の境界線（すなわち、読み取った画像における画像領域の境界線）Ｌ０と、上記の長方形を構成する各辺の延長線Ｌ１〜Ｌ４とにより区分される。すなわち、線Ｌ１の上側で、線Ｌ３の左側の領域（領域２１）、線Ｌ１の上側で、線Ｌ３及び線Ｌ４で囲まれる領域（領域２２）、線Ｌ１の上側で、線Ｌ４の右側の領域（領域２３）、線Ｌ１及び線Ｌ２で囲まれ、線Ｌ３の左側の領域（領域２４）、線Ｌ１及び線Ｌ２で囲まれ、線Ｌ４の右側の領域（領域２５）、線Ｌ２の下側で、線Ｌ３の左側の領域（領域２６）、線Ｌ２の下側で、線Ｌ３及び線Ｌ４で囲まれる領域（領域２７）、線Ｌ２の下側で、線Ｌ４の右側の領域（領域２８）に区分される。
【００４３】
指定画像領域２０の縦の長さをＰ１、横の長さをＱ１、領域２１，２２，２３の縦の長さをＰ２、領域２６，２７，２８の縦の長さをＰ３、領域２１，２４，２６の横の長さをＱ２、領域２３，２５，２８の縦の長さをＱ３とした場合、変倍後の各領域の縦の長さと横の長さは次のように変換される。
【００４４】
すなわち、コピー画像は縦の長さＰ、横の長さがＱの長方形の画像のままであり、指定画像領域２０は、縦の長さがｎ×Ｐ１、横の長さがｎ×Ｑ１の長方形の画像に拡大される。一方、領域２１，２２，２３の縦の長さがＰ４、領域２６，２７，２８の縦の長さがＰ５、領域２１，２４，２６の横の長さがＱ４、領域２３，２５，２８の縦の長さがＱ５に変換される。ここで、Ｐ４、Ｐ５、Ｑ４、Ｑ５は下記式により算出される。
【００４５】
Ｐ４=（Ｐ−ｎＰ１）×Ｐ２／（Ｐ２+Ｐ３）
Ｐ５=（Ｐ−ｎＰ１）×Ｐ３／（Ｐ２+Ｐ３）
Ｑ４=（Ｑ−ｎＱ１）×Ｑ２／（Ｑ２+Ｑ３）
Ｑ５=（Ｑ−ｎＱ１）×Ｑ３／（Ｑ２+Ｑ３）
【００４６】
なお、Ｐ４、Ｐ５、Ｑ４またはＱ５が、マイナスの値となる時、表示部１０３に「コピー不可」との表示を出し、入力部１０２によりユーザが変倍率を再設定できるようにしてもよい。
【００４７】
上記のように変倍後の各領域の縦及び横の長さを計算することができるので、変倍率はこれらの長さから算出することができる。例えば、原稿の左上隅の指定外画像領域２１に対する変倍率は、横がＱ４／Ｑ２であり、縦がＰ４／Ｐ２である。他の指定外画像領域２２〜２８についても同様である。なお、変倍後の長さを計算せずに変倍率を直接的に計算する構成としてもよいことは勿論のことである。
本実施の形態では、指定された領域に隣接する領域が、縦方向または横方向に均等に縮小（変倍縮小）されるので、原稿情報の一部のみが、極端に縮小されて見えづらくなることを防止することができる。
【００４８】
説明を図４のフローチャートに戻す。画像形成装置は、ステップＳ１３で設定された変倍率にて指定画像領域内の画像を変倍し（ステップＳ１７）、ステップＳ１６で算出した変倍率にて各指定外画像領域内の画像を変倍する（ステップＳ１８）。
【００４９】
次いで、画像形成装置は、変倍された指定画像領域内の画像に対し、変倍された各指定外画像領域内の画像を合成し（ステップＳ１９）、合成して得られた画像に基づいて画像形成を行う（ステップＳ２０）。
【００５０】
このように、本実施の形態では、ユーザによって指定された指定画像領域内の画像についてはユーザによって設定された変倍率で変倍を行うが、この指定画像領域に隣接する領域（指定外画像領域）内の画像についても、用紙サイズに収まるように変倍を行うため、用紙サイズを必要以上に大きくすることなく、全ての原稿情報をコピーすることができる。また、変倍後の指定外画像領域の各辺の長さを上記のように定めることにより、図７の模式図に示すように、変倍後の指定画像領域内の画像と変倍後の指定外画像領域内の画像との間に不連続線が形成されなくなり、コピー画像に含まれる画像（文字を含む）に段差が発生することを防止ることができる。
【００５１】
なお、本実施の形態では、指定画像領域を拡大する例について説明したが、指定画像領域を縮小する場合にも適用できることは勿論のことである。指定画像領域を縮小する場合、原稿内の特定の部分のみをマスクしたコピー画像の生成が可能となる。
【図面の簡単な説明】
【００５２】
【図１】本実施の形態に係る画像形成装置の構成を示すブロック図である。
【図２】本実施の形態に係る画像形成装置が実行する処理の内容を説明する説明図である。
【図３】本実施の形態に係る画像形成装置が実行する処理の内容を説明する説明図である。
【図４】本実施の形態に係る画像形成装置が実行する処理の手順を説明するフローチャートである。
【図５】変倍処理前の各領域のサイズを説明する説明図である。
【図６】変倍処理後の各領域のサイズを説明する説明図である。
【図７】変倍処理後の画像の一例を示す模式図である。
【符号の説明】
【００５３】
１００  制御部
１０１  バス
１０２  入力部
１０３  表示部
１０４  画像読取部
１０５  プログラムメモリ
１０６  バッファメモリ
１０７  画像処理部
１０８  画像形成部
１０９  記憶媒体読取部
１１０  記憶媒体
【図１】
2009206637.tif 000003
【図２】
2009206637.tif 000004
【図３】
2009206637.tif 000005
【図４】
2009206637.tif 000006
【図５】
2009206637.tif 000007
【図６】
2009206637.tif 000008
【図７】
2009206637.tif 000009